(57)【要約】【課題】  作業性に優れ、光ファイバケーブルを無駄にすることなく配線が可能な、光ファイバケーブルの配線方法等を提供する。【解決手段】  保護管９には、所定間隔をあけて取り出し口１１が形成される。取り出し口１１は、保護管９が取り付けられる構造体の各階の高差（各階の高さ方向の間隔）に略対応する。保護管９内部には複数の光ファイバケーブル７が挿通されている。ここで、複数本光ファイバケーブル７がまとめられたものを光ファイバ群１７と称する。複数の光ファイバ群１７は、それぞれ長さが異なる。取り出し口１１においては、取り出し口１１を含んで保護管９全体に巻きつくようにバンド１３が設けられる。取り出し口１１において、一つの光ファイバ群１７のみが他の光ファイバ群１７と区別されて、バンド１３外部（保護管９外部）に保持される。【選択図】図２
2011123408.tif 000002
【特許請求の範囲】
【請求項１】
複数階からなる構造体の各階に光ファイバケーブルを配線する光ファイバケーブルの配線方法であって、
各階間の略高差に対応する間隔で複数の取出し口が形成された管体と、
前記管体に挿通された光ファイバケーブルと、
を具備し、複数本の前記光ファイバケーブルがまとめられた光ファイバ群が複数形成され、それぞれの前記光ファイバ群の長手方向の一部が、それぞれの前記取出し口で前記管体の外方に向けて露出した状態で保持される光ファイバ配管を用い、
前記構造体に略鉛直方向に併設された前記光ファイバ配管の前記取出し口から、前記光ファイバ群の上端部を引き出し、前記光ファイバ群を前記光ファイバケーブルにばらして、対応する階におけるそれぞれの配線位置まで前記光ファイバケーブルを配線することを特徴とする光ファイバケーブルの配線方法。
【請求項２】
前記光ファイバ群を構成する前記光ファイバケーブルの平均長さは、それぞれの前記光ファイバ群ごとに異なり、上階に行くにつれ、各階に対応する光ファイバ群を構成する前記光ファイバケーブルの平均長さが長くなることを特徴とする請求項１記載の光ファイバケーブルの配線方法。
【請求項３】
１階に配線される前記光ファイバ群を構成する前記光ファイバケーブルの平均長さＬ１に対し、ｎ階に配線される前記光ファイバ群を構成する前記光ファイバケーブルの平均長さＬｎは、各階間の高差をＨとすると、Ｌｎ＝Ｌ１＋（ｎ−１）・Ｈであることを特徴とする請求項１または請求項２記載の光ファイバケーブルの配線方法。
【請求項４】
光ファイバ群を構成する複数の光ファイバケーブルは、各階における水平方向の配線位置に応じてそれぞれ長さが異なり、前記光ファイバ群を前記取出し口から引き出した後、各階の配線位置に対応する長さの前記光ファイバケーブルをそれぞれの配線位置まで配線することを特徴とする請求項１から請求項３記載の光ファイバケーブルの配線方法。
【請求項５】
前記光ファイバ配管の下端より露出する前記光ファイバケーブルの下端部は、前記光ファイバケーブルが巻きつけられたコイルに接続されており、前記光ファイバケーブルを配線位置まで配線した後、前記光ファイバケーブルの余長部をコイルで巻き取り、前記光ファイバ配管の下端近傍で前記光ファイバケーブルを切断することを特徴とする請求項１記載の光ファイバケーブルの配線方法。
【請求項６】
前記光ファイバ配管は、屈曲または接続によってさらに水平方向に配設され、水平方向に配設されている光ファイバ配管の所定箇所に設けられた取出し口より、内部の光ファイバケーブルを取り出し、各階における配線位置に配線することを特徴とする請求項１から請求項５記載の光ファイバケーブルの配線方法。
【請求項７】
複数階からなる構造体に用いられる光ファイバ配管であって、
所定間隔で複数の取出し口が形成された管体と、
前記管体に挿通された光ファイバケーブルと、
を具備し、
前記管体の一方の端部は閉塞されており、前記管体の他方の端部は開放し、内部の光ファイバケーブルが露出しており、
複数本の前記光ファイバケーブルがまとめられた光ファイバ群が複数形成され、それぞれの前記光ファイバ群の長手方向の一部が、それぞれの前記取出し口で前記管体の外方に向けて露出した状態で保持されることを特徴とする光ファイバ配管。
【請求項８】
前記光ファイバ群を構成する前記光ファイバケーブルの平均長さは、前記光ファイバ群ごとに異なり、前記取り出し口の位置が前記光ファイバ配管の閉塞された側の端部に行くにつれて、当該取り出し口で露出する前記光ファイバ群を構成する前記光ファイバケーブルの平均長さが長くなることを特徴とする請求項７記載の光ファイバ配管。
【発明の詳細な説明】
【技術分野】
【０００１】
本発明は内部に光ファイバケーブルが挿通され、光ファイバケーブルを配線位置まで配線する光ファイバケーブルの配線方法およびこれに用いられる光ファイバ配管に関するものである。
【背景技術】
【０００２】
従来、集合ドロップケーブルやインドアケーブルにおいて、複数本の光ファイバケーブルを集合して拠り線とし、集合拠り線が保護管内に挿通される。集合拠り線から使用する光ファイバケーブルを取り出す際には、集合拠り線の内の一本を切断し、切断された端部にコネクタを接続して、コネクタを介して配線位置まで別途光ファイバケーブルを敷設する。
【０００３】
このような集合光ファイバドロップケーブル等としては、例えば、光エレメントの複数本を支持線部の周囲に配設すると共に、各光エレメント部を予め配線形態に応じて分岐する分岐部を設ける集合光ファイバドロップケーブルがある（特許文献１）。
【先行技術文献】
【特許文献】
【０００４】
【特許文献１】特開２００４−１２５９１４号公報
【発明の概要】
【発明が解決しようとする課題】
【０００５】
しかし、このようなケーブルを用いて分岐部を増設するような場合には、内部のケーブルを分岐部で切断して抜き取る必要があり、切断された光ファイバケーブルの残部が無駄となり、また、使用されない無駄な光ファイバケーブルが配管内に残置されるという問題がある。また、切断部には必ずコネクタが必要となるため、コネクタの接続作業が必要となり、作業性も悪いという問題がある。また、多数本の光ファイバケーブルを拠り線とする場合には、必要な光ファイバケーブルの識別や、拠り線からの取り出し性が悪いという問題がある。
【０００６】
本発明は、このような問題に鑑みてなされたもので、作業性に優れ、光ファイバケーブルを無駄にすることなく配線が可能な、光ファイバケーブルの配線方法等を提供することを目的とする。
【課題を解決するための手段】
【０００７】
前述した目的を達するために第１の発明は、複数階からなる構造体の各階に光ファイバケーブルを配線する光ファイバケーブルの配線方法であって、各階間の略高差に対応する間隔で複数の取出し口が形成された管体と、前記管体に挿通された光ファイバケーブルと、を具備し、複数本の前記光ファイバケーブルがまとめられた光ファイバ群が複数形成され、それぞれの前記光ファイバ群の長手方向の一部が、それぞれの前記取出し口で前記管体の外方に向けて露出した状態で保持される光ファイバ配管を用い、前記構造体に略鉛直方向に併設された前記光ファイバ配管の前記取出し口から、前記光ファイバ群の上端部を引き出し、前記光ファイバ群を前記光ファイバケーブルにばらして、対応する階におけるそれぞれの配線位置まで前記光ファイバケーブルを配線することを特徴とする光ファイバケーブルの配線方法である。
【０００８】
前記光ファイバ群を構成する前記光ファイバケーブルの平均長さは、それぞれの前記光ファイバ群ごとに異なり、上階に行くにつれ、各階に対応する光ファイバ群を構成する前記光ファイバケーブルの平均長さが長くなることが望ましい。
【０００９】
１階に配線される前記光ファイバ群を構成する前記光ファイバケーブルの平均長さＬ１に対し、ｎ階に配線される前記光ファイバ群を構成する前記光ファイバケーブルの平均長さＬｎは、各階間の高差をＨとすると、Ｌｎ＝Ｌ１＋（ｎ−１）・Ｈであることが望ましい。
【００１０】
光ファイバ群を構成する複数の光ファイバケーブルは、各階における水平方向の配線位置に応じてそれぞれ長さが異なり、前記光ファイバ群を前記取出し口から引き出した後、各階の配線位置に対応する長さの前記光ファイバケーブルをそれぞれの配線位置まで配線してもよい。
【００１１】
前記光ファイバ配管の下端より露出する前記光ファイバケーブルの下端部は、前記光ファイバケーブルが巻きつけられたコイルに接続されており、前記光ファイバケーブルを配線位置まで配線した後、前記光ファイバケーブルの余長部をコイルで巻き取り、前記光ファイバ配管の下端近傍で前記光ファイバケーブルを切断してもよい。
【００１２】
前記光ファイバ配管は、屈曲または接続によってさらに水平方向に配設され、水平方向に配設されている光ファイバ配管の所定箇所に設けられた取出し口より、内部の光ファイバケーブルを取り出し、各階における配線位置に配線してもよい。
【００１３】
第１の発明によれば、光ファイバ群が構成され、光ファイバ群が取り出し口から露出した状態で保持されるため、光ファイバケーブルの取り出しが容易であり、識別も確実に行うことができる。また、光ファイバケーブルを切断する必要がないため、無駄な光ファイバケーブルが生じることがない。
【００１４】
特に、各階に対応したそれぞれの光ファイバ群を構成する光ファイバケーブルの平均長さ（以下単に「光ファイバ群の長さ」と称する）が、上階にいくにつれて長くなるため、光ファイバケーブルの長さが、配線位置（配線階）に応じた長さとなり、光ファイバケーブルの無駄が生じず、効率よく使用することができる。この場合、上階に行くにつれて、光ファイバ群の長さを階の高差（階差長）Ｈだけ長くすることで、より効率よく各階に対応する長さとすることができる。
【００１５】
また、同一の光ファイバ群を構成する光ファイバケーブルの長さを、水平方向の配線位置に応じた長さにそれぞれ対応させ、光ファイバケーブルの長さをそれぞれ変えることで、より光ファイバケーブルの無駄をなくすことができ、光ファイバケーブルを有効に利用することができる。
【００１６】
また、配管下方より導出する光ファイバケーブルを、それぞれ光ファイバケーブルのコイルに接続させることで、光ファイバケーブルの配線時には、必要長さだけ光ファイバケーブルをコイルより巻き出し、光ファイバケーブル配線後は、余分な長さをコイルで巻き取ることにより、光ファイバケーブルをより有効に利用することができる。
【００１７】
また、各階においては、配管を水平方向に曲げ、または別途配管を水平方向に接続して、配線位置近傍に取り出し口を設けることで、光ファイバケーブルの配線がより簡易となる。
【００１８】
第２の発明は、複数階からなる構造体に用いられる光ファイバ配管であって、所定間隔で複数の取出し口が形成された管体と、前記管体に挿通された光ファイバケーブルと、を具備し、前記管体の一方の端部は閉塞されており、前記管体の他方の端部は開放し、内部の光ファイバケーブルが露出しており、複数本の前記光ファイバケーブルがまとめられた光ファイバ群が複数形成され、それぞれの前記光ファイバ群の長手方向の一部が、それぞれの前記取出し口で前記管体の外方に向けて露出した状態で保持されることを特徴とする光ファイバ配管である。
【００１９】
前記光ファイバ群を構成する前記光ファイバケーブルの平均長さは、前記光ファイバ群ごとに異なり、前記取り出し口の位置が前記光ファイバ配管の閉塞された側の端部に行くにつれて、当該取り出し口で露出する前記光ファイバ群を構成する前記光ファイバケーブルの平均長さを長くしてもよい。
【００２０】
第２の発明によれば、光ファイバ群が配管の取り出し口より露出した状態で保持されるため、内部の光ファイバケーブルを配線位置まで配線するのが容易であり、識別も確実に行うことができる。特に、光ファイバ群の長さを配管の端部（上階に向けて設置される側）に行くにつれて長くすることで、光ファイバケーブルを効率よく利用することができる。
【発明の効果】
【００２１】
本発明によれば、作業性に優れ、光ファイバケーブルを無駄にすることなく配線が可能な、光ファイバケーブルの配線方法等を提供することができる。
【図面の簡単な説明】
【００２２】
【図１】配線構造１を示す斜視図。
【図２】配線構造１に用いられる配管構造を示す図で、（ａ）は全体立面図、（ｂ）は（ａ）のＡ部拡大図、（ｃ）は（ｂ）のＢ−Ｂ線断面図。
【図３】配線構造１に用いられる配管構造を示す断面図で、（ａ）は全体断面図、（ｂ）は（ａ）のＡ部拡大図。
【図４】構造体３に保護管９を設置した状態を示す図。
【図５】保護管９から光ファイバケーブル７（光ファイバ群１７）取り出す工程を示す図。
【図６】光ファイバケーブル７を配線した状態を示す図。
【図７】保護管９を最上階で屈曲させた状態を示す図。
【図８】ケーブル収納箱２１を示す図で、（ａ）は斜視図、（ｂ）は斜視透視図、（ｃ）は断面図。
【図９】ケーブル収納箱２１を保護管９の下方に設置して光ファイバケーブル７を設置する状態を示す図。
【図１０】ケーブル収納箱２１を各階に設置して光ファイバケーブル７を設置する状態を示す図。
【発明を実施するための形態】
【００２３】
以下、図面を参照しながら、本発明の実施形態について説明する。図１は、配線構造１を示す図である。複数階からなる（図では３階の例を示す）構造体３の側方には、保護管９が略鉛直方向に設置される。保護管９内部には光ファイバケーブル７が複数挿通されている。保護管９の下端からは光ファイバケーブル７端部が導出されており、保護管９の下端近傍に設置される図示を省略した配線ボックス等に接続される。
【００２４】
保護管９の各階に対応する位置からは光ファイバケーブル７が取り出されており、光ファイバケーブル７は、各階のそれぞれの引き込み口５（配線位置）まで配線される。なお、以下の説明において、保護管９内に光ファイバケーブル７が挿通された状態のものを、単に光ファイバ配管と称する。すなわち、光ファイバ配管は、保護管９および光ファイバケーブル７等から構成される。
【００２５】
次に光ファイバ配管について詳細を説明する。図２および図３は、光ファイバ配管の構成を示す図で、図２（ａ）は全体立面図、図２（ｂ）は図２（ａ）のＡ部拡大図、図２（ｃ）は図２（ｂ）のＢ−Ｂ線断面図、図３（ａ）は全体断面図、図３（ｂ）は図３（ａ）のＡ部拡大図である。
【００２６】
保護管９の端部（上端部）は、蓋１５によって閉じられており、下端部は開放されている。なお、保護管９としては、たとえば可撓性を有するポリエチレン製のものが使用でき、波付管であっても直管であってもよく、また、波付管である場合には、螺旋溝付管であっても独立溝付管であってもよい。また、保護管９のサイズとしては、内部に挿通される光ファイバケーブル７の本数により適宜決定されるが、例えば１０〜２０ｍｍ程度である。
【００２７】
保護管９には、所定間隔をあけて取り出し口１１が形成される。取り出し口１１は、内部の光ファイバケーブル７を保護管９の外部に取り出すための穴である。取り出し口１１の設置間隔は、例えば２．５〜３ｍ程度あり、保護管９が取り付けられる構造体の各階の高差（各階の高さ方向の間隔）に略対応するものである。
【００２８】
保護管９内部には複数の光ファイバケーブル７が挿通されている。ここで、複数本の光ファイバケーブル７がまとめられたものを光ファイバ群１７と称する。すなわち光ファイバ群１７は、複数本の光ファイバケーブル７がテープ等でまとめられて形成される。したがって、保護管９内部には複数の光ファイバ群１７が挿通されている。
【００２９】
なお、光ファイバ群１７を構成する光ファイバケーブル７の本数は、各階における配線数に対応し、図１の例では、各階に４か所の引き込み口５が設定されているため、４本の光ファイバケーブル７によって光ファイバ群１７を構成すれば良い。また、光ファイバ群１７の群数は、階数に対応し、図１の例では、３群の光ファイバ群１７を構成すれば良い。なお、光ファイバケーブル７や光ファイバ群１７の設定数は図に示す例に限定されず、例えば、通常、保護管９内部には２０〜３０本程度の光ファイバケーブル７が挿入される。
【００３０】
複数の光ファイバ群１７は、それぞれ長さが異なる。すなわち、光ファイバ群１７を構成する光ファイバケーブル７の長さは、それぞれの光ファイバ群ごとに異なる。したがって、保護管９内部において、光ファイバ群先端１９位置は、それぞれの光ファイバ群１７ごとに異なる。
【００３１】
複数の光ファイバ群１７は、それぞれ対応する取り出し口１１で保護管９の外部に露出する。すなわち、一つの取り出し口１１において、一つの光ファイバ群１７が露出する。なお、保護管９の下端側（蓋１５とは逆側の端部側）の取り出し口１１から上端側（蓋１５が設けられるの端部側）の取り出し口１１に行くにつれて、露出する光ファイバ群１７の長さが順次長くなる。すなわち、最下方の取り出し口１１で露出する光ファイバ群１７の長さが最も短く、ここで露出する光ファイバ群１７の先端部は保護管９内部において、他の光ファイバ群１７の先端部より下方に位置する。
【００３２】
同様に、最上方の取り出し口１１で露出する光ファイバ群１７の長さが最も長く、ここで露出する光ファイバ群１７の先端部は保護管９内部において、他の光ファイバ群１７の先端部より上方に位置する。なお、光ファイバ群１７の先端位置は、必ずしも異なる位置でなくてもよく、この場合、保護管９の下端から外部に出ている光ファイバ群１７の長さをそれぞれ異なるようにしても良い。すなわち、最も短い光ファイバ群１７は保護管９の下端からの長さが最も短く、最も長い光ファイバ群１７は、保護管９の下端からの長さが最も長くなるようにしても良い。
【００３３】
図２（ｂ）、図３（ｂ）に示すように、取り出し口１１においては、取り出し口１１を含んで保護管９全体に巻きつくようにバンド１３が設けられる。バンド１３は、保護管９に巻きつけられ、保持することができれば、どのような態様でもよい。図２（ｃ）に示すように、取り出し口１１で外方に向けて露出する光ファイバ群１７は、バンド１３の外部に位置し、その他の光ファイバ群１７は、保護管９内部に保持される。すなわち、取り出し口１１において、一つの光ファイバ群１７のみが他の光ファイバ群１７と区別されて、バンド１３外部（保護管９の外方に向けて）に保持される。なお、光ファイバ群１７はそれぞれ識別が可能なように、テープで色分け等がなされており、さらに、光ファイバ群１７を構成する複数の光ファイバケーブル７同士も識別可能に色分け等が施されている。
【００３４】
このような光ファイバ配管は、以下のように組み立てられる。あらかじめ必要長さに切断された保護管９の所定位置に、取り出し口１１を形成する。所定長さの複数の光ファイバケーブル７をテープ等でまとめて光ファイバ群１７を形成しておき、光ファイバ群１７を保護管９の一方の端部より挿入する。この際、光ファイバ群１７の先端にキャップを取り付けて固定することが望ましい。キャップの先端が断面円弧形状であり、キャップ先端の円弧部の大きさが、保護管内面の凹部の溝幅よりも大きければ、キャップ先端が溝に引っ掛かることがない。すなわち、光ファイバケーブルの先端が保護管内部の凹凸に引っかかることなく、光ファイバ群１７を保護管内に挿入することができる。また、光ファイバケーブル７の先端を折り曲げて挿入してもよい。
【００３５】
長い光ファイバ群１７または短い光ファイバ郡１７から順に保護管９に挿入し、それぞれの対応する取り出し口１１で、該当する光ファイバ群１７の長手方向の一部（端部以外の部位）を保護管９の外部に引き出し、バンド１３によって保護管９外部に保持する。以上を繰り返して、全ての光ファイバ群１７を保護管に挿入し、それぞれの取り出し口１１で光ファイバ群１７の一部を外方に向けて露出させて保持することで光ファイバ配管が形成される。
【００３６】
次に、本発明の光ファイバ配管を用いた光ファイバ配線構造の構築方法を説明する。まず、図４に示すように、構造体３の側方に保護管９（光ファイバ配管）を設置する。この際、取り出し口が各階の所定高さ位置に来るようにあらかじめ取り出し口の位置が設定される。なお、保護管９下端より外部に出ている光ファイバケーブル７は、配線ボックスにあらかじめ接続しておいてもよく、または、配線作業終了後に配線ボックス等に接続しても良い。
【００３７】
次に、それぞれの取り出し口１１より光ファイバケーブル７（光ファイバ群１７）を取り出す。図５は、光ファイバケーブル７（光ファイバ群１７）を保護管９より取り出す方法を示す図である。まず、図５（ａ）に示す状態から、図５（ｂ）に示すように、取り出し口１１から露出している光ファイバ群１７を引き出す（図中矢印Ｃ方向）。
【００３８】
さらに、光ファイバ群１７を引き抜き、図５（ｃ）に示すように、光ファイバ群先端１９を取り出し口１１より取り出す（図中矢印Ｄ方向）。次に、図５（ｄ）に示すように、必要に応じて、光ファイバ群１７を必要長さ引き出す（図中矢印Ｅ方向）。なお、光ファイバケーブル７の下端が既に配線ボックス等に接続されていて、下端側に余長がない場合には、図５（ｄ）のように引っ張り出すことはない。
【００３９】
光ファイバ群１７を引きだした後、光ファイバ群１７をそれぞれの光ファイバケーブル７にばらし、必要な光ファイバケーブル７をそれぞれの配線位置である引き込み口５まで配線する。引き込み口５においては、別途コネクタ等を接続してもよく、または、直接室内まで当該光ファイバケーブル７を配線しても良い。以上により、各階および各引き込み口へ光ファイバケーブル７が配線される。
【００４０】
なお、各引き込み口５までの配線を、個別に行う場合には、該当する光ファイバ群１７を完全には取り出さず、例えば図５（ｂ）に示すように、光ファイバ具１７の一部を取り出して、必要な光ファイバケーブル７のみを引き出して配線し、残りの光ファイバ群１７を保護管９内に戻しておくこともできる。
【００４１】
図６は、配線が完了した状態を示す図である。ここで、各階の高差（高さ方向）をＨとし、それぞれの引き込み口５同士の水平方向の距離をそれぞれＷ１〜Ｗ３とする。図に示すように、１階に配線される光ファイバケーブル７の平均長さに対して、２階に配線される光ファイバケーブル７の平均長さはＨだけ長くなる。すなわち、１階に用いられる光ファイバ群１７の長さをＬ１とすれば、ｎ階に用いられる光ファイバ群１７の長さをＬｎは、Ｌｎ＝Ｌ１＋（ｎ−１）・Ｈとすることが望ましい。このようにすることで、各階の高差に応じた適切な長さの光ファイバ群となり、余分な光ファイバケーブルを少なくすることができる。
【００４２】
同様に、同一の光ファイバ群を構成する各光ファイバケーブル７の長さも、全て同一とするのではなく、引き込み口５の位置に応じて長さを変えておくことが望ましい。例えば１階の一番保護管に近い引き込み口５に用いられる光ファイバケーブル７の長さをｌ１とし、遠くなるにつれて順にｌ２、ｌ３、ｌ４とし、引き込み口５同士の間隔を順にＷ１、Ｗ２、Ｗ３とすれば、ｌ２＝ｌ１＋Ｗ１、ｌ３＝ｌ２＋Ｗ２＝ｌ１＋Ｗ１＋Ｗ２、ｌ４＝ｌ３＋Ｗ３＝ｌ１＋Ｗ１＋Ｗ２＋Ｗ３とすることが望ましい。このようにすることで、引きこみ口５の位置に応じた適切な長さの光ファイバケーブルとなり、余分な光ファイバケーブルを少なくすることができる。
【００４３】
なお、一つの光ファイバ群を構成するそれぞれの光ファイバケーブルの長さを全て同じにする場合には、最も遠い引き込み口までの長さを設定しておき、引き込み口５の位置に応じて、光ファイバケーブル７を切断すればよい。
【００４４】
図７は、他の実施形態を示す図で、最上階で保護管９ａを屈曲させて水平方向に配置した状態を示す図である。保護管９ａは、１階部および２階部は保護管９と同様であり、３階部のみ保護管９を伸ばしたものである。
【００４５】
最上階における水平方向に設置された部位においては、引き込み口５の近傍に取り出し口を設ければよい。したがって最上階においては、光ファイバ群を構成せず、取り出し口から光ファイバケーブルをそれぞれ単体で取り出せばよい。この場合、各取出し口では、光ファイバケーブル７をバンド等で区別しておいてもよい。また、図７においては、最上階の保護管を屈曲させたが、保護管を屈曲させずに、鉛直方向の保護管９に水平方向の保護管を別途接続してもよい。この場合、最上階に限られず、他の任意の階において水平方向の保護管を設けてもよい。
【００４６】
なお、以上の実施形態において、構造体３の構造（階および部屋数）等は図示した態様に限られない。また、取り出し口１１には、別途カバー等を設けておいてよい。カバーは、光ファイバ群１７を取り出す前の状態においても、または、光ファイバ群１７を取り出した後においても、穴を塞ぎ、内部に水分等や小動物等が侵入しないように設けられればよい。
【００４７】
以上説明したように、本実施形態の配線構造１によれば、配線作業がきわめて容易である。また、あらかじめ各階に配線される光ファイバケーブル７が光ファイバ群１７を構成するため、識別が容易であり、作業性に優れる。また、余分な光ファイバケーブル７を削減することができる。
【００４８】
特に、各階の高さに応じて、また、各階における引き込み口５の位置に応じてあらかじめ光ファイバ群、およびこれを構成する光ファイバケーブル７の長さを設定することにより、より光ファイバケーブルの無駄を削減することができる。
【００４９】
次に、第２の実施の形態にかかる光ファイバの配線方法について説明する。図８は、ケーブル収納箱２１を示す図で、図８（ａ）は斜視図、図８（ｂ）は斜視透視図、図８（ｃ）は断面図である。なお、以下の実施形態において、第１の実施形態と同一の機能を奏する構成については、図１〜図６と同一の符号を付し、重複した説明を省略する。第２の実施の形態においては、ケーブル収納箱２１が用いられる。
【００５０】
ケーブル収納箱２１は、主に、箱体２２、コイル２３等から構成される。箱体２２の内部に複数のコイル２３が並列に設けられる。コイル２３には、光ファイバケーブル７が巻きつけられる。それぞれのコイル２３は、独立しており、それぞれ独立して軸２５を中心に回転することができる。
【００５１】
箱体２２の側面には、それぞれのコイル２３の配置に応じた位置に取り出し孔２７が設けられる。取り出し孔２７の内部にはガイド２９が設けられる。すなわち、コイル２３に巻きつけられた光ファイバケーブル７は、ガイド２９を介して、取り出し孔２７から外部に導出される。
【００５２】
箱体２２の上面には、複数のスリット３１が形成される。スリット３１は、コイル２３の側板の位置に対応しており、それぞれのコイル２３の側板の一部がスリット３１より箱体２２の上方に露出する。作業者は、スリット３１より露出したコイル２３の側板を回転させることで、コイル２３を回転させることができる。
【００５３】
ケーブル収納箱２１は、使用時には、取り出し孔２７より外部に導出された光ファイバケーブル７を引っ張ることで、容易に光ファイバケーブルを取り出すことができる。この際、例えば、複数の光ファイバケーブルを同時に引っ張ることで、複数本の光ファイバケーブルを略同一長さで引き出すことができる。また、余分に引き出された光ファイバケーブル７は、それぞれのコイルの露出部を回転させることで、コイル２３を逆回転させて、光ファイバケーブル７を巻き戻すことができる。
【００５４】
次に、ケーブル収納箱２１を用いた配線方法について説明する。図９は、ケーブル収納箱２１が用いられた状態における配線方法を示す図である。ケーブル収納箱２１は、保護管９の下端側から出ている光ファイバケーブ７と一体で構成される。すなわち、保護管９内部の光ファイバケーブル７（光ファイバ群１７）は、ケーブル収納箱２１のコイルとそれぞれ接続されている。
【００５５】
なお、一つの光ファイバ群１７ごとに一つのケーブル収納箱２１を割り当てることが望ましい。例えば、図９の例では、各階に４つの引き込み口５が存在するため、光ファイバ群１７は４本の光ファイバケーブル７で構成される。したがって、４つのコイルで構成されるケーブル収納箱２１を用いれば、一つのケーブル収納箱２１より引き出された４本の光ファイバケーブル７を一つの光ファイバ群１７とすることができる。
【００５６】
まず、図９の１階に示すように、前述の方法で光ファイバ群１７を保護管９より取り出し、最遠の引き込み口５まで引き出す。この際、光ファイバ群を構成する光ファイバケーブル７がケーブル収納箱２１から引き出される。
【００５７】
次に、図９の２階に示すように、光ファイバ群１７をばらして光ファイバケーブル７とし、それぞれの引き込み口５に配線する。配線後、３階に示すように、余分な光ファイバケーブル７を、ケーブル収納箱２１方向に巻き戻す（図中矢印Ｆ）。余分な光ファイバケーブル７を巻き戻し後、ケーブル収納箱２１近傍の必要位置で光ファイバケーブル７を切断し、配線ボックス等に接続する。以上により配線が終了する。
【００５８】
なお、図１０に示すように、ケーブル収納箱２１を各階の保護管９から最遠端部近傍に設置して配線を行っても良い。この場合、まず、空の保護管９を構造体３に設置する。次いで、図中１階に示すように、光ファイバケーブル７をケーブル収納箱２１より引き出し（図中矢印Ｇ方向）、保護管９（の取り出し口）に挿入して、保護管９下端から光ファイバケーブル７の端部を必要長さ引き出す。この際、必要に応じて、光ファイバケーブル７の端部を配線ボック等に接続しても良い。
【００５９】
次に、図中２階に示すように、それぞれの引き込み口５の位置で光ファイバケーブル７を切断して配線する。最後に、図中３階に示すように、余分な光ファイバケーブル７をケーブル収納箱２１方向に巻き戻す（図中矢印Ｈ方向）。以上により配線作業が完了する。
【００６０】
第２の実施の形態によれば、第１の実施の形態と同様の効果を奏する。また、ケーブル収納箱２１は、複数の光ファイバケーブルを一度に引き出すことができ、また、余分な光ファイバケーブル７を巻き戻すことができるため、光ファイバケーブルを有効に利用することができ、無駄を削減することができる。
【００６１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００６２】
１………配線構造
３………構造体
５………引き込み口
７………光ファイバケーブル
９………保護管
１１………取り出し口
１３………バンド
１５………蓋
１７………光ファイバ群
１９………光ファイバ群先端
２１………ケーブル収納箱
２２………箱体
２３………コイル
２５………軸
２７………取り出し孔
３１………スリット
【図１】
2011123408.tif 000003
【図２】
2011123408.tif 000004
【図３】
2011123408.tif 000005
【図４】
2011123408.tif 000006
【図５】
2011123408.tif 000007
【図６】
2011123408.tif 000008
【図７】
2011123408.tif 000009
【図８】
2011123408.tif 000010
【図９】
2011123408.tif 000011
【図１０】
2011123408.tif 000012